(57)【要約】【課題】空間内の気体の浄化効果を向上できる浄化システムを提供する。【解決手段】浄化システムは、照明装置16、循環経路20およびフィルタ28を備える。照明装置16は、室内11を照明する照明光を発光する光源27を有する。循環経路20は、室内11の気体を循環させる。フィルタ28は、循環経路20内でかつ光源27からの照明光が照射される位置に配設され、循環する気体が通過する通気性を有するとともに、光源27からの照明光で反応する光触媒を担持している。【選択図】図１
2018117896.tif 000002
【特許請求の範囲】
【請求項１】
空間内を照明する照明光を発光する光源を有する照明装置と；
前記空間内の気体を循環させる循環経路と；
前記循環経路内でかつ前記光源からの前記照明光が照射される位置に配設され、循環する気体が通過する通気性を有するとともに、前記光源からの前記照明光で反応する光触媒を担持したフィルタと；
を具備することを特徴とする浄化システム。
【請求項２】
前記光源は、ＬＥＤであり、
前記光触媒は、可視光反応型光触媒である
ことを特徴とする請求項１記載の浄化システム。
【請求項３】
前記フィルタは、光透過性を有する
ことを特徴とする請求項１または２記載の浄化システム。
【請求項４】
前記フィルタは、循環する気体が通過する通気方向の下流側から、前記光源からの前記照明光が照射される
ことを特徴とする請求項３記載の浄化システム。
【発明の詳細な説明】
【技術分野】
【０００１】
本発明の実施形態は、空間内の気体を浄化する浄化システムに関する。
【背景技術】
【０００２】
従来、室温等の調整のために室内の空気を循環させる空調システムがある。
【０００３】
この空調システムでは、部屋の天井側に設置される照明装置に室内の空気を循環経路に吸込む吸込口が設けられ、部屋の床面側等に循環経路から室内に空気を吐出する吐出口が設けられている。
【０００４】
また、このような空調システムにおいて、照明装置における器具の表面や蛍光灯の表面に光触媒が担持され、蛍光灯から光で光触媒が反応し、循環する空気を浄化する浄化システムの提案がある。
【０００５】
しかし、壁面に空気が当たるように、循環する空気のうちの器具の表面や蛍光灯の表面に当たった空気しか浄化することができず、空気の浄化効果が低いものであった。
【先行技術文献】
【特許文献】
【０００６】
【特許文献１】特開２０００−６５３９６号公報
【発明の概要】
【発明が解決しようとする課題】
【０００７】
本発明が解決しようとする課題は、空間内の気体の浄化効果を向上できる浄化システムを提供することである。
【課題を解決するための手段】
【０００８】
実施形態の浄化システムは、照明装置、循環経路およびフィルタを備える。照明装置は、空間内を照明する照明光を発光する光源を有する。循環経路は、空間内の気体を循環させる。フィルタは、循環経路内でかつ光源からの照明光が照射される位置に配設され、循環する気体が通過する通気性を有するとともに、光源からの照明光で反応する光触媒を担持している。
【発明の効果】
【０００９】
本発明によれば、空間内の気体の浄化効果を向上させることが期待できる。
【図面の簡単な説明】
【００１０】
【図１】第１の実施形態を示す浄化システムの模式図である。
【図２】同上浄化システムに用いられる照明装置の一部を切り欠いた側面図である。
【図３】同上照明装置の平面図である。
【図４】同上照明装置の底面図である。
【図５】第２の実施形態を示す浄化システムに用いられる照明装置の一部を切り欠いた側面図である。
【図６】第３の実施形態を示す浄化システムに用いられる照明装置の断面図である。
【発明を実施するための形態】
【００１１】
以下、第１の実施形態を、図１ないし図４を参照して説明する。
【００１２】
図１に、浄化システムの模式図を示す。浄化システムは、例えばオフィス等の部屋10内つまり人の居る空間としての室内11の気体としての空気を循環させ、室温等を調整する空調システム等に用いられている。
【００１３】
部屋10には、天井側に例えばシステム天井等の天井12が配設され、この天井12の上側に天井裏空間13が設けられている。また、部屋10の床側に二重床14が配設され、この二重床14の下側に床下空間15が設けられている。天井12には、室内11を照明するための複数の照明装置16が設置されている。
【００１４】
そして、浄化システムは、複数の照明装置16を利用し、室内11の空気を循環させる循環経路20を備えている。循環経路20では、室内11の空気を、複数の照明装置16、天井裏空間13、この天井裏空間13に連通する吸込ダクト21を経て送風機22に吸い込み、また、この送風機22から吐出する空気を、床下空間15に連通する吐出ダクト23、床下空間15を経て、二重床14に設置されている複数の吐出口ユニット24から室内11に循環する。送風機22から吐出する空気の一部は、別の吐出ダクト25を通じて天井側に設置されている複数の吐出口ユニット26から室内11に循環する。なお、送風機22は、室温等を調整する空調システムの場合には空調機となる。
【００１５】
照明装置16は、室内11を照明する照明光を発光する光源27を備えている。
【００１６】
循環経路20内でかつ光源27からの照明光が照射される位置に、循環する空気が通過する通気性を有するとともに、光源27からの照明光で反応する光触媒を担持したフィルタ28が配設されている。本実施形態では、フィルタ28は、照明装置16が備えている。
【００１７】
次に、図２ないし図４に、照明装置16の構成を示す。照明装置16は、天井12に設置される２灯形の埋込形照明器具である。なお、天井12は、天井構造物に吊り下げ設置されたシステム天井である。
【００１８】
照明装置16は、器具本体30、この器具本体30の内部に配設される２つの光源27、電源ユニット31、およびフィルタ28等を備えている。
【００１９】
そして、器具本体30は、四角形枠状の外枠部34を有し、この外枠部34の下端周囲に天井12に設置されるフランジ部35が設けられている。外枠部34の内側には、両側部に光源収容部36が形成され、これら光源収容部36間の中央部に非光源収容部37が形成されている。
【００２０】
各光源収容部36は、周囲が外枠部34および光源収容部36と非光源収容部37との間の仕切壁部38で囲まれ、上面が天板部39で閉塞され、下面が開口されている。光源収容部36の下面には、透光カバー40が配設されている。
【００２１】
非光源収容部37は、周囲が外枠部34および両側の仕切壁部38で囲まれ、上面が開口され、下面が化粧板41で覆われている。化粧板41の広い範囲に、複数の通気口42が形成されている。非光源収容部37の外枠部34の内面には、天井12または天井構造物からのワイヤが連結される落下防止金具43、電源用や調光用の各端子台44等が取り付けられている。したがって、非光源収容部37の内部のほとんどが空間となっている。
【００２２】
光源収容部36と非光源収容部37との間の仕切壁部38には、複数の孔で構成された光通過部45が形成されている。
【００２３】
そして、化粧板41の複数の通気口42、非光源収容部37の内部、および非光源収容部37の上面開口は、室内11の空気を循環させる循環経路20の一部として構成されている。さらに、化粧板41の複数の通気口42は、室内11の空気を循環経路20に吸い込む吸込口46として構成されている。
【００２４】
また、光源27は、器具本体30の各光源収容部36に配設されている。光源27は、発光素子としてのＬＥＤ49を用いた発光モジュール50、およびこの発光モジュール50を覆う透光性を有する光源カバー51を備えている。発光モジュール50は取付台52に取り付けられ、この取付台52が天板部39に取り付けられている。
【００２５】
ＬＥＤ49は、３８０〜７８０ｎｍの波長の可視光を含む照明光を放射するが、紫外線の波長域の光も含むものであってもよい。
【００２６】
また、電源ユニット31は、一方の光源収容部36に配設されている。電源ユニット31は、交流電源を入力し、所定の直流電源に変換して、各光源27の発光モジュール50に供給する。
【００２７】
また、フィルタ28は、通気性および光透過性を有する例えばシート状または板状のフィルタ材が用いられている。フィルタ材には、繊維や、多孔性セラミックス等が用いられている。
【００２８】
フィルタ28には光触媒が担持されている。光触媒は、紫外線とともに３８０〜７８０ｎｍ波長の可視光にも反応する例えばタングステン系の可視光反応型光触媒が用いられている。
【００２９】
フィルタ28は、循環経路20内でかつ光源27からの照明光が照射される位置に配設されている。本実施形態では、フィルタ28は、非光源収容部37の化粧板41の上側に配設されている。化粧板41の上側に配設されるフィルタ28は、化粧板41の全ての通気口42つまり循環経路20の吸込口46を覆う大きさに形成されている。この位置に配設されたフィルタ28には、仕切壁部38の複数の光通過部45を通じて光源27からの照明光が照射される。つまり、フィルタ28には、循環する空気が通過する通気方向の下流側であるフィルタ28の上面側から、光源27からの照明光が照射される。
【００３０】
そして、フィルタ28は、循環する空気が通過する通気方向の下流側であるフィルタ28の上面側から照射される光源27からの照明光が、循環する空気が通過する通気方向の上流側であるフィルタ28の下面側まで通過する光透過性を有している。また、フィルタ28は、循環する空気の圧損の割合と、光触媒による浄化効果との兼ね合いを考慮した適切な空隙率を有している。
【００３１】
照明装置16は、フィルタ28を着脱可能に取り付けるフィルタ取付部55を備えている。フィルタ取付部55は、例えば、化粧板41の上面側に複数の通気口42を一体的に囲むように設けられた取付枠56を有し、この取付枠56にフィルタ28が取り付けられている。フィルタ28は、例えば保持枠等で保持し、この保持枠を取付枠56にねじ、爪構造あるいはばね構造等の取付手段で着脱可能に取り付けてもよい。
【００３２】
そして、オフィス等の稼働時には、浄化システムの送風機22が作動され、室内11の空気が循環されるとともに、複数の照明装置16の光源27が点灯され、光源27からの照明光で室内11が照明される。
【００３３】
浄化システムの送風機22が作動されることにより、室内11の空気が複数の照明装置16に設けられた吸込口46から循環経路20に吸い込まれる。吸込口46から循環経路20に吸い込まれる空気はフィルタ28を通過する。そのため、室内11の空気中に浮遊している臭いの元となる有機物やウイルスおよび細菌等がフィルタ28に接触する。
【００３４】
一方、照明装置16の光源27が点灯されることにより、光源27からの照明光が透光カバー40を透過し、室内11を照明する。
【００３５】
光源27からの照明光の一部は、仕切壁部38の光通過部45を通過してフィルタ28に照射される。フィルタ28には、循環する空気が通過する通気方向の下流側すなわちフィルタ28の上面側から照明光が照射されるが、フィルタ28が光透過性を有するため、照明光がフィルタ28の通気方向の上流側すなわちフィルタ28の下面側まで通過する。そのため、フィルタ28を通過した照明光は、化粧板41の複数の通気口42を通じて室内11に照射され、室内11の明るさの向上に寄与する。
【００３６】
そして、光源27からの照明光が照射されたフィルタ28の光触媒は、活性化してフィルタ28を通過する空気を浄化する。例えば、照明光が照射された光触媒は、ＯＨラジカル等を発生し、このＯＨラジカル等がフィルタ28に接触した有機物やウイルスおよび細菌等と結合して分解し、空気を消臭、除菌して浄化する。
【００３７】
このような光触媒反応はフィルタ28の光透過方向の全域で行われ、フィルタ28の下面側に接触した有機物やウイルスおよび細菌等の分解に限らず、フィルタ28の内部や上面側近傍に接触した有機物やウイルスおよび細菌等をも分解する。そのため、効率的に空気を浄化することができる。
【００３８】
そして、フィルタ28を通過して浄化された空気は、天井裏空間13に流れ、循環経路20を経て、吐出口ユニット24，26から室内11に循環される。したがって、室内11の空気が浄化される。
【００３９】
このように、本実施形態の浄化システムでは、通気性を有するとともに光触媒を担持したフィルタ28を、循環経路20内でかつ光源27からの照明光が照射される位置に配設することにより、室内11の空気の浄化効果を向上できる。
【００４０】
また、フィルタ28の光触媒に可視光反応型光触媒を用いることにより、光源27がＬＥＤ49の場合でも、そのＬＥＤ49からの照明光で光触媒反応させることができる。
【００４１】
また、フィルタ28は、光透過性を有するため、光源27からの照明光が照射される位置であればどこに配設しても光触媒反応を得ることができ、フィルタ28の設置の自由度が高く、照明装置16に容易に設置することができる。
【００４２】
しかも、フィルタ28は、光透過性を有するため、フィルタ28の光透過方向の全域で光触媒反応を得ることができ、効率的に空気を浄化できる。例えば、フィルタ28は、循環する空気が通過する通気方向の下流側から、光源27からの照明光が照射されるように配設することができる。
【００４３】
次、第２の実施形態を、図５を参照して説明する。なお、第１の実施形態と同様の構成については、同一符号を用いてその説明を省略する。
【００４４】
図５に、浄化システムに用いる照明装置16を示す。
【００４５】
器具本体30の両側に光源収容部36が形成され、これら光源収容部36間の中央部に非光源収容部37が形成されている。光源収容部36内に光源27が配設されているとともに光源収容部36の下面側にルーバ60が配設されている。非光源収容部37の下面は平板状の化粧板41で閉塞されている。
【００４６】
器具本体30の両側の光源収容部36のさらに両外側には、上下方向に貫通する通気路61が形成されている。通気路61は、器具本体30の側面の幅方向に沿って形成されている。通気路61は循環経路20を構成するものであり、通気路61の下面側に循環経路20の吸込口46がスリット状に形成されている。
【００４７】
光源収容部36と通気路61との間の器具本体30の側面部62には、複数の孔で構成された光通過部63が形成されている。なお、光源収容部36の下面が開口されているため、室内11の空気が光通過部63の孔から通気路61に吸い込まれないように、光通過部63の孔は透明板等で閉塞される。また、第１の実施形態と同様に光源収容部36の下面が透光カバー40で閉塞されている場合には、光通過部63の孔を閉塞する透明板等は必要ない。
【００４８】
器具本体30には、各通気路61の吸込口46の上側にフィルタ取付部55が設けられ、このフィルタ取付部55にフィルタ28が取り付けられている。フィルタ28は、吸込口46を覆い、吸込口46から吸い込まれる室内11の空気がフィルタ28を通過するように配設されている。
【００４９】
そして、浄化システムの送風機22が作動されることにより、室内11の空気が吸込口46から循環経路20に吸い込まれる。吸込口46から循環経路20に吸い込まれる空気はフィルタ28を通過する。そのため、室内11の空気中に浮遊している臭いの元となる有機物やウイルスおよび細菌等がフィルタ28に接触する。
【００５０】
照明装置16の光源27が点灯されることにより、光源27からの照明光がルーバ60を通過し、室内11を照明する。光源27からの照明光の一部は、側面部62の光通過部63を通過してフィルタ28に照射される。フィルタ28には、循環する空気が通過する通気方向の下流側すなわちフィルタ28の上面側から照明光が照射されるが、フィルタ28が光透過性を有するため、照明光がフィルタ28の通気方向の上流側すなわちフィルタ28の下面側まで通過する。そのため、フィルタ28を通過した照明光は、吸込口46を通じて室内11に照射され、室内11の明るさの向上に寄与する。
【００５１】
そして、光源27からの照明光が照射されたフィルタ28の光触媒は、活性化してフィルタ28を通過する空気を浄化する。
【００５２】
したがって、第２の実施形態においても、上述した第１の実施形態と同様の作用効果を得ることができる。
【００５３】
次、第３の実施形態を、図６を参照して説明する。なお、第１の実施形態と同様の構成については、同一符号を用いてその説明を省略する。
【００５４】
図６に、浄化システムに用いられる照明装置16を示す。この照明装置16は、１灯形の埋込形照明器具である。
【００５５】
照明装置16は、器具本体30、この器具本体30の内部に配設される光源27、電源ユニット31、およびフィルタ28を備えている。
【００５６】
器具本体30は、長方形板状の天板部70、この天板部70の長手方向に直交する両側に設けられる側板部71、天板部70の長手方向の両端側に設けられる端板部72を有し、下面が開口する長方形箱状に形成されている。両側の側板部71の下部側には、複数の通気口73が形成されている。
【００５７】
器具本体30の下面には、カバー体74が着脱可能に取り付けられている。カバー体74は、器具本体30の下端側を覆う長方形枠状の枠体75、およびこの枠体75の内側に配設された透光カバー76を有している。カバー体74は、複数の取付ばね77によって器具本体30に引き上げられて取り付けられている。
【００５８】
そして、照明装置16は天井12に埋め込み設置され、器具本体30が天井裏空間13に配設される。天井裏空間13は、循環経路20であるため、空気が流れている。この天井裏空間13を流れる空気の一部は、両側の側板部71に設けられている複数の通気口73を通じて器具本体30の内部を通過する。そのため、器具本体30の内部が循環通路20の一部として構成される。なお、室内11から天井裏空間13への空気の吸い込みは、第１および第２の実施形態のような吸込口46を備えた別の照明装置16で行ってもよいし、あるいは天井12に別途設けられた吸込口ユニットで行ってもよい。
【００５９】
また、光源27は、発光素子としてのＬＥＤ49を用いた発光モジュール50、およびこの発光モジュール50を覆う透光性を有する光源カバー51を備えている。発光モジュール50は取付台52に取り付けられ、この取付台52が天板部70に取り付けられている。また、取付台52には、光源27からの照明光を下方へ向けて反射させる反射体80が取り付けられている。
【００６０】
また、フィルタ28は、両側の側板部71の内側で複数の通気口73に対向した位置であって、光源27からの照明光が照射される位置に配設されている。この場合にも、照明装置16は、フィルタ28を着脱可能に取り付ける図示しないフィルタ取付部を備えている。
【００６１】
そして、天井裏空間13を流れる空気の一部が、両側の側板部71の複数の通気口73を通じて器具本体30の内部を通過する。このとき、複数の通気口73を覆っているフィルタ28を空気が通過する。そのため、空気中に浮遊している臭いの元となる有機物やウイルスおよび細菌等がフィルタ28に接触する。
【００６２】
光源27からの照明光は透光カバー76を透過し、室内11を照明する。光源27からの照明光の一部はフィルタ28に照射される。本実施形態では、図６の右側のフィルタ28には、循環する空気が通過する通気方向の下流側から照明光が照射され、図６の左側のフィルタ28には、循環する空気が通過する通気方向の上流側から照明光が照射される。
【００６３】
そして、光源27からの照明光が照射されたフィルタ28の光触媒は、活性化してフィルタ28を通過する空気を浄化する。
【００６４】
したがって、第３の実施形態においても、上述した第１の実施形態と同様の作用効果を得ることができる。
【００６５】
なお、フィルタ28は、循環経路20内でかつ光源27からの照明光が照射される位置に配設されれば、どこに配設しても構わない。
【００６６】
なお、浄化システムは、空気の浄化の他、例えば工場等で空気以外の気体が満たされる室内における気体の浄化にも用いることができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
11    空間としての室内
16    照明装置
20    循環経路
27    光源
28    フィルタ
49    ＬＥＤ
【図１】
2018117896.tif 000003
【図２】
2018117896.tif 000004
【図３】
2018117896.tif 000005
【図４】
2018117896.tif 000006
【図５】
2018117896.tif 000007
【図６】
2018117896.tif 000008